(57)【要約】【課題】回路基板の種類を削減するとともに、放熱機能を有しない回路基板を用いることによって、回路基板の製造コストの低減を図ることが可能なレーザプリンタ（画像形成装置）を提供する。【解決手段】このレーザプリンタは、枠体２の外部に設けられ、半導体レーザ駆動回路７とモータ駆動回路８との２つが実装された放熱機能を有しない紙フェノール製の１つの回路基板９と、モータ取り付け機能のみを有するモータ取り付け部材３と、枠体２の外部に設けられた回路基板９と枠体２の内部に設置されたモータ４とを接続するためのフレキシブルケーブル１０と、枠体２の外部に設けられた回路基板９と枠体２の内部に単体で角度調節することが可能なように設置された半導体レーザ６とを接続するためのフレキシブルケーブル１１とを備える。【選択図】図２
2004138936.tif 000002
【特許請求の範囲】
【請求項１】
枠体と、前記枠体の内部に設置され、レーザビームを出射する半導体レーザと、前記半導体レーザの駆動を制御する半導体レーザ駆動回路と、感光体ドラム上に前記レーザビームを走査させるためのポリゴンミラーと、前記枠体の内部に設置され、前記ポリゴンミラーが取り付けられるとともに、前記ポリゴンミラーを回転させるためのモータと、前記モータの駆動を制御するモータ駆動回路と、前記レーザビームの走査開始位置を検出するためのフォトダイオードを有する同期信号検出回路と、前記同期信号検出回路が実装された第１回路基板とを含むレーザスキャニングユニットを備えたレーザプリンタにおいて、
前記枠体の外部に設けられ、前記半導体レーザ駆動回路と前記モータ駆動回路との２つが実装された放熱機能を有しない紙フェノール製の１つの第２回路基板と、
モータ取り付け機能のみを有するモータ取り付け部材と、
前記枠体の外部に設けられた前記第２回路基板と、前記枠体の内部に設置された前記モータとを接続するための第１フレキシブルケーブルと、
前記枠体の外部に設けられた前記第２回路基板と、前記枠体の内部に設置された前記半導体レーザとを接続するための第２フレキシブルケーブルとを備え、
前記半導体レーザは、前記半導体レーザ単体で角度調節することが可能なように前記枠体の内部に取り付けられているとともに、前記モータは、前記モータ取り付け部材を介して前記枠体の内部に取り付けられていることを特徴とする、レーザプリンタ。
【請求項２】
枠体と、
前記枠体の内部に設置され、レーザビームを出射する半導体レーザと、
感光体ドラム上に前記レーザビームを走査させるためのポリゴンミラーと、
前記枠体の内部に設置され、前記ポリゴンミラーが取り付けられるとともに、前記ポリゴンミラーを回転させるためのモータと、
前記枠体の前記モータが設置された領域から所定の距離を隔てた領域に設けられ、前記半導体レーザの駆動を制御する半導体レーザ駆動回路と前記モータの駆動を制御するモータ駆動回路との２つが実装された１つの回路基板とを含むレーザスキャニングユニットを備える、画像形成装置。
【請求項３】
前記回路基板は、放熱機能を有しない紙フェノール製の回路基板を含む、請求項２に記載の画像形成装置。
【請求項４】
モータ取り付け機能のみを有するモータ取り付け部材をさらに備え、
前記モータは、前記モータ取り付け部材を介して前記枠体の内部に取り付けられている、請求項２または３に記載の画像形成装置。
【請求項５】
前記半導体レーザは、前記半導体レーザ単体で角度調節することが可能なように前記枠体の内部に取り付けられている、請求項２〜４のいずれか１項に記載の画像形成装置。
【請求項６】
前記枠体の外部に設けられた前記回路基板と、前記枠体の内部に設置された前記モータとを接続するための第１フレキシブルケーブルと、
前記枠体の外部に設けられた前記回路基板と、前記枠体の内部に設置された前記半導体レーザとを接続するための第２フレキシブルケーブルとをさらに備える、請求項２〜５のいずれか１項に記載の画像形成装置。
【発明の詳細な説明】
【０００１】
【発明の属する技術分野】
この発明は、レーザプリンタなどの画像形成装置に関し、特に、複数の回路を有するレーザスキャニングユニットを備えたレーザプリンタなどの画像形成装置に関する。
【０００２】
【従来の技術】
従来、モータ駆動回路や半導体レーザ駆動回路などの複数の回路を有するレーザスキャニングユニットを備えた画像形成装置が知られている。以下、本願明細書では、複数の回路を有するレーザスキャニングユニットを備えた画像形成装置の一例として、レーザプリンタを例にとって説明する。
【０００３】
図５は、従来のレーザプリンタを示した斜視図である。図６は、図５に示した従来のレーザプリンタのレーザスキャニングユニットの内部構造を示した平面図である。まず、図５および図６を参照して、従来のレーザプリンタの構造について説明する。
【０００４】
従来のレーザプリンタ１００は、図５に示すように、トナーカートリッジ１２０と、トナーカートリッジ１２０の上方に設置されたレーザスキャニングユニット１０１とを備えている。トナーカートリッジ１２０には、用紙上にトナーを転写するための感光体ドラム（図示せず）とトナーが充填されるトナータンク部（図示せず）とが設けられている。そして、レーザスキャニングユニット１０１には、感光体ドラム上に電子画像を形成するための種々の部品が設置されている。
【０００５】
具体的には、図６に示すように、枠体１０２に設けられた凸形状部１０２ａの内部に、モータ駆動回路（図示せず）が実装された放熱機能を有する鉄製の回路基板１２１が取り付けられている。この鉄製の回路基板１２１には、モータ１０４が取り付けられている。そして、モータ１０４の駆動により発生した熱は、放熱機能を有する鉄製の回路基板１２１によって放熱される。これにより、熱によるモータ駆動回路の破損が防止される。また、モータ１０４の回転軸（図示せず）には、回転しながらレーザビーム１０６ａを反射することによって、感光体ドラム上にレーザビーム１０６ｂを走査させるためのポリゴンミラー１０５が取り付けられている。そして、枠体１０２の内部の所定領域には、半導体レーザ駆動回路（図示せず）が実装された回路基板１２２が取り付けられている。この回路基板１２２には、半導体レーザ１０６が、ポリゴンミラー１０５方向にレーザビーム１０６ａを出射することが可能なように取り付けられている。
【０００６】
また、枠体１０２の内部には、ポリゴンミラー１０５によって反射されたレーザビーム１０６ｂを感光体ドラム方向（紙面に対して垂直方向）に反射するためのミラー１１２が、ポリゴンミラー１０５と対向するように取り付けられている。そして、ポリゴンミラー１０５とミラー１１２との間には、ポリゴンミラー１０５によって反射されたレーザビーム１０６ｂのスポット径を絞るためのレンズ１１３が取り付けられている。そして、枠体１０２の内部の半導体レーザ１０６が取り付けられた領域と反対側の領域には、回路基板１１４が取り付けられている。この回路基板１１４には、レーザビーム１０６ｂの走査開始位置を検出するためのフォトダイオード１１５を有する同期信号検出回路（図示せず）が実装されている。また、レーザビーム１０６ｂの走査開始位置であるミラー１１２の一方端部の近傍には、ポリゴンミラー１０５によって反射されたレーザビーム１０６ｃをフォトダイオード１１５方向に反射するためのミラー１１６が取り付けられている。そして、ミラー１１６により反射されたレーザビーム１０６ｄがフォトダイオード１１５に入射することによって、レーザビーム１０６ｂの走査開始位置が検出される。
【０００７】
しかしながら、図６に示した従来のレーザスキャニングユニット１０１では、上記のように、モータ駆動回路、半導体レーザ駆動回路および同期信号検出回路が、それぞれ、別々の回路基板１２１、１２２および１１４に実装されているので、回路基板の種類が多くなるという不都合があった。また、モータ駆動回路が実装され、かつ、モータ１０４が取り付けられた鉄製の回路基板１２１は、放熱機能を有するので、放熱機能を有しない非鉄製の回路基板よりも高価であるという不都合もあった。その結果、回路基板の製造コストの低減を図るのが困難であるという問題点があった。
【０００８】
そこで、従来では、複数の回路が１つの回路基板に実装されたレーザスキャニングユニットを備えた画像形成装置が提案されている（たとえば、特許文献１および２参照）。特許文献１には、半導体レーザ駆動回路と同期信号検出回路とが１つの回路基板に実装されたレーザスキャニングユニットが開示されている。また、特許文献２には、半導体レーザ駆動回路とモータ駆動回路とが１つの回路基板に実装されたレーザスキャニングユニットが開示されている。
【０００９】
【特許文献１】
特開平１−２８２５１６号公報
【特許文献２】
特開平５−１１０７７２号公報
【００１０】
【発明が解決しようとする課題】
しかしながら、上記特許文献１に開示されたレーザスキャニングユニットでは、半導体レーザ駆動回路と同期信号検出回路とが実装されることにより面積が大きくなった回路基板に半導体レーザが取り付けられている。このため、半導体レーザを角度調節する場合には、大きい面積を有する回路基板の取り付け位置を微調整する必要があるので、回路基板の種類を削減できたとしても、半導体レーザの角度調節が困難になるという不都合がある。
【００１１】
また、上記特許文献２に開示されたレーザスキャニングユニットでは、半導体レーザ駆動回路とモータ駆動回路とが実装された回路基板に、モータも取り付けられているので、放熱機能を有する鉄製の回路基板が必要となる。このため、回路基板の種類を削減できたとしても、回路基板の製造コストの低減を図るのが困難であるという不都合がある。
【００１２】
この発明は、上記のような課題を解決するためになされたものであり、
この発明の１つの目的は、回路基板の種類を削減するとともに、放熱機能を有しない回路基板を用いることによって、回路基板の製造コストの低減を図ることが可能なレーザプリンタ（画像形成装置）を提供することである。
【００１３】
この発明のもう１つの目的は、上記のレーザプリンタにおいて、半導体レーザの角度調節を容易にすることである。
【００１４】
【課題を解決するための手段】
上記目的を達成するために、請求項１におけるレーザプリンタは、枠体と、枠体の内部に設置され、レーザビームを出射する半導体レーザと、半導体レーザの駆動を制御する半導体レーザ駆動回路と、感光体ドラム上にレーザビームを走査させるためのポリゴンミラーと、枠体の内部に設置され、ポリゴンミラーが取り付けられるとともに、ポリゴンミラーを回転させるためのモータと、モータの駆動を制御するモータ駆動回路と、レーザビームの走査開始位置を検出するためのフォトダイオードを有する同期信号検出回路と、同期信号検出回路が実装された第１回路基板とを含むレーザスキャニングユニットを備えたレーザプリンタにおいて、枠体の外部に設けられ、半導体レーザ駆動回路とモータ駆動回路との２つが実装された放熱機能を有しない紙フェノール製の１つの第２回路基板と、モータ取り付け機能のみを有するモータ取り付け部材と、枠体の外部に設けられた第２回路基板と、枠体の内部に設置されたモータとを接続するための第１フレキシブルケーブルと、枠体の外部に設けられた第２回路基板と、枠体の内部に設置された半導体レーザとを接続するための第２フレキシブルケーブルとを備え、半導体レーザは、半導体レーザ単体で角度調節することが可能なように枠体の内部に取り付けられているとともに、モータは、モータ取り付け部材を介して枠体の内部に取り付けられていることを特徴とする。
【００１５】
請求項１では、上記のように、モータを、モータ取り付け部材を介して枠体の内部に取り付けるとともに、１つの第２回路基板に、半導体レーザ駆動回路とモータ駆動回路との２つを実装することによって、半導体レーザ駆動回路用の回路基板とモータ駆動回路用の回路基板との２つの回路基板を用いる必要がないので、回路基板の種類を削減することができる。その結果、回路基板の製造コストを低減することができる。また、第２回路基板を枠体の外部に設けることによって、枠体の内部に設置されたモータと、半導体レーザ駆動回路およびモータ駆動回路が実装された第２回路基板とを分離することができるので、モータの駆動により発生する熱が第２回路基板を伝導するのを防止することができる。これにより、半導体レーザ駆動回路およびモータ駆動回路がモータの熱により破損するのを防止することができる。この場合、放熱機能を有しない紙フェノール製の第２回路基板を用いることができる。この紙フェノール製の第２回路基板は、放熱機能を有する鉄製の回路基板よりも安価であるので、これによっても、回路基板の製造コストを低減することができる。また、モータ取り付け機能のみを有するモータ取り付け部材を用いることによって、モータ取り付け部材の製造コストも低減することができる。
【００１６】
また、請求項１では、半導体レーザを、半導体レーザ単体で角度調節することが可能なように枠体の内部に取り付けることによって、半導体レーザ駆動回路用の回路基板に取り付けられた半導体レーザに比べて、より容易に、半導体レーザを角度調節することができる。
【００１７】
また、請求項１では、枠体の内部に設置されたモータおよび半導体レーザを、それぞれ、第１フレキシブルケーブルおよび第２フレキシブルケーブルにより、枠体の外部に設けられた第２回路基板に接続することによって、各々複数本の配線が一体化された第１および第２フレキシブルケーブルにより、複数の配線を同時に第２回路基板に接続することができるので、容易に、モータおよび半導体レーザと第２回路基板とを接続することができる。
【００１８】
請求項２における画像形成装置は、枠体と、枠体の内部に設置され、レーザビームを出射する半導体レーザと、感光体ドラム上にレーザビームを走査させるためのポリゴンミラーと、枠体の内部に設置され、ポリゴンミラーが取り付けられるとともに、ポリゴンミラーを回転させるためのモータと、枠体のモータが設置された領域から所定の距離を隔てた領域に設けられ、半導体レーザの駆動を制御する半導体レーザ駆動回路とモータの駆動を制御するモータ駆動回路との２つが実装された１つの回路基板とを含むレーザスキャニングユニットを備える。
【００１９】
請求項２では、上記のように、モータを枠体の内部に設置するとともに、１つの回路基板に、半導体レーザ駆動回路とモータ駆動回路との２つを実装することによって、半導体レーザ駆動回路用の回路基板とモータ駆動回路用の回路基板との２つの回路基板を用いる必要がないので、回路基板の種類を削減することができる。その結果、回路基板のコストを低減することができる。また、回路基板を枠体のモータが設置された領域から所定の間隔を隔てた領域に設けることによって、枠体の内部に設置されたモータと、半導体レーザ駆動回路およびモータ駆動回路が実装された回路基板とを分離することができるので、モータの駆動により発生する熱が回路基板を伝導するのを防止することができる。これにより、半導体レーザ駆動回路およびモータ駆動回路がモータの熱により破損するのを防止することができる。
【００２０】
請求項３における画像形成装置は、請求項２の構成において、回路基板は、放熱機能を有しない紙フェノール製の回路基板を含む。このように構成すれば、紙フェノール製の回路基板は、放熱機能を有する鉄製の回路基板よりも安価であるので、これによっても、回路基板の製造コストを低減することができる。
【００２１】
請求項４における画像形成装置は、請求項２または３の構成において、モータ取り付け機能のみを有するモータ取り付け部材をさらに備え、モータは、モータ取り付け部材を介して枠体の内部に取り付けられている。このように構成すれば、モータ取り付け部材の製造コストを低減することができる。
【００２２】
請求項５における画像形成装置は、請求項２〜４のいずれかの構成において、半導体レーザは、半導体レーザ単体で角度調節することが可能なように枠体の内部に取り付けられている。このように構成すれば、半導体レーザ駆動回路用の回路基板に取り付けられた半導体レーザに比べて、より容易に、半導体レーザを角度調節することができる。
【００２３】
請求項６における画像形成装置は、請求項２〜５のいずれかの構成において、枠体の外部に設けられた回路基板と、枠体の内部に設置されたモータとを接続するための第１フレキシブルケーブルと、枠体の外部に設けられた回路基板と、枠体の内部に設置された半導体レーザとを接続するための第２フレキシブルケーブルとをさらに備える。このように構成すれば、各々複数本の配線が一体化された第１および第２フレキシブルケーブルによって、複数の配線を同時に回路基板に接続することができるので、容易に、モータおよび半導体レーザと第２回路基板とを接続することができる。
【００２４】
【発明の実施の形態】
以下、本発明の実施形態を図面に基づいて説明する。
【００２５】
図１は、本発明の一実施形態によるレーザプリンタを示した斜視図である。図２は、図１に示した一実施形態によるレーザプリンタのレーザスキャニングユニットの内部構造を示した平面図である。図３は、図２に示した一実施形態によるレーザスキャニングユニットの５０−５０線に沿った断面図である。図４は、図２に示した一実施形態によるレーザスキャニングユニットの回路基板の平面図である。まず、図１〜図４を参照して、本実施形態によるレーザプリンタの構造について説明する。
【００２６】
本実施形態によるレーザプリンタ５０は、図１に示すように、トナーカートリッジ２０と、レーザスキャニングユニット１とを備えている。トナーカートリッジ２０には、用紙上にトナーを転写するための感光体ドラム（図示せず）とトナーが充填されるトナータンク部（図示せず）とが設けられている。そして、レーザスキャニングユニット１には、感光体ドラム上に電子画像を形成するための種々の部品が設置されている。
【００２７】
具体的には、本実施形態では、図２および図３に示すように、枠体２に設けられた凸形状部２ａの内部に、モータ取り付け機能のみを有するモータ取り付け部材３を介してモータ４が取り付けられている。そして、モータ４の回転軸４ａには、回転しながらレーザビーム６ａを反射することによって、感光体ドラム上にレーザビーム６ｂを走査させるためのポリゴンミラー５が取り付けられている。また、枠体２の内部の所定領域には、半導体レーザ６が、ポリゴンミラー５方向にレーザビーム６ａを出射することが可能なように、かつ、半導体レーザ６単体で角度調節することが可能なように取り付けられている。
【００２８】
ここで、本実施形態では、図２に示すように、半導体レーザ６の駆動を制御する半導体レーザ駆動回路７およびモータ４の駆動を制御するモータ駆動回路８の２つは、枠体２の外部に設けられた放熱機能を有しない紙フェノール製の１つの回路基板９に実装されている。なお、回路基板９は、本発明の「第２回路基板」の一例である。そして、枠体２の外部に設けられた回路基板９と枠体２の凸形状部２ａの内部に取り付けられたモータ４とは、図３に示すように、枠体２に設けられた穴部２ｂを介して、５本の配線が一体化されたフレキシブルケーブル１０によって接続されている。なお、フレキシブルケーブル１０は、本発明の「第１フレキシブルケーブル」の一例である。このフレキシブルケーブル１０によって、図４に示すように、電圧（２４Ｖ）供給線、接地線およびホール素子信号線などの５本の配線が接続される。
【００２９】
また、枠体２の外部に設けられた回路基板９と枠体２の内部に取り付けられた半導体レーザ６とは、図２に示すように、枠体２に設けられた穴部（図示せず）を介して、３本の配線が一体化されたフレキシブルケーブル１１によって接続されている。なお、フレキシブルケーブル１１は、本発明の「第２フレキシブルケーブル」の一例である。このフレキシブルケーブル１１によって、図４に示すように、電圧（５Ｖ）供給線、オン／オフ制御信号線およびフォトダイオード信号線などの３本の配線が接続される。
【００３０】
また、図２に示すように、枠体２の内部には、ポリゴンミラー５によって反射されたレーザビーム６ｂを感光体ドラム方向（紙面に対して垂直方向）に反射するためのミラー１２が、ポリゴンミラー５と対向するように取り付けられている。そして、ポリゴンミラー５とミラー１２との間には、ポリゴンミラー５によって反射されたレーザビーム６ｂのスポット径を絞るためのレンズ１３が取り付けられている。そして、枠体２の内部の半導体レーザ６が取り付けられた領域と反対側の領域には、回路基板１４が取り付けられている。なお、回路基板１４は、本発明の「第１回路基板」の一例である。この回路基板１４には、レーザビーム６ｂの走査開始位置を検出するためのフォトダイオード１５を有する同期信号検出回路（図示せず）が実装されている。また、レーザビーム６ｂの走査開始位置であるミラー１２の一方端部の近傍には、ポリゴンミラー５によって反射されたレーザビーム６ｃをフォトダイオード１５方向に反射するためのミラー１６が取り付けられている。そして、ミラー１６により反射されたレーザビーム６ｄがフォトダイオード１５に入射することによって、レーザビーム６ｂの走査開始位置が検出される。
【００３１】
本実施形態では、上記のように、モータ４を、モータ取り付け部材３を介して枠体２の凸形状部２ａの内部に取り付けるとともに、１つの回路基板９に、半導体レーザ駆動回路７とモータ駆動回路８との２つを実装することによって、半導体レーザ駆動回路用の回路基板とモータ駆動回路用の回路基板との２つの回路基板を用いる必要がないので、回路基板の種類を削減することができる。その結果、回路基板９の製造コストを低減することができる。また、回路基板９を枠体２の外部に設けることによって、枠体２の内部に取り付けられたモータ４と、半導体レーザ駆動回路７およびモータ駆動回路８が実装された回路基板９とを分離することができるので、モータ４の駆動により発生する熱が回路基板９を伝導するのを防止することができる。これにより、半導体レーザ駆動回路７およびモータ駆動回路８がモータ４の熱により破損するのを防止することができる。この場合、放熱機能を有しない紙フェノール製の回路基板９を用いることができる。この紙フェノール製の回路基板９は、放熱機能を有する鉄製の回路基板よりも安価であるので、これによっても、回路基板９の製造コストを低減することができる。また、モータ取り付け機能のみを有するモータ取り付け部材３を用いることによって、モータ取り付け部材３の製造コストも低減することができる。
【００３２】
また、本実施形態では、上記のように、半導体レーザ６を、半導体レーザ６単体で角度調節することが可能なように枠体２の内部に取り付けることによって、半導体レーザ駆動回路用の回路基板に取り付けられた半導体レーザに比べて、より容易に、半導体レーザ６を角度調節することができる。
【００３３】
また、本実施形態では、上記のように、枠体２の内部に取り付けられたモータ４および半導体レーザ６を、それぞれ、フレキシブルケーブル１０および１１により、枠体２の外部に設けられた回路基板９に接続することによって、各々複数本の配線が一体化されたフレキシブルケーブル１０および１１により、複数の配線を同時に回路基板９に接続することができるので、容易に、モータ４および半導体レーザ６と回路基板９とを接続することができる。
【００３４】
次に、図２を参照して、本実施形態によるレーザスキャニングユニットの動作としては、まず、半導体レーザ６から出射されたレーザビーム６ａが、ポリゴンミラー５によってミラー１２方向に反射する。このポリゴンミラー５によって反射されたレーザビーム６ｂは、そのスポット径がレンズ１３によって絞られるとともに、ミラー１２によって感光体ドラム方向に反射される。これにより、予め帯電された感光体ドラム上にレーザビーム６ｂが走査されるとともに、帯電された感光体ドラム上のレーザビーム６ｂが走査された部分のみ電荷が消滅される。この際、モータ４の駆動によりポリゴンミラー５の回転を制御するとともに、半導体レーザ６の駆動を制御することによって、感光体ドラム上の所定の領域にのみレーザビーム６ｂを走査させる。また、レーザビーム６ｂの走査開始位置は、ミラー１６によって反射されたレーザビーム６ｄをフォトダイオード１５に入射することによって検出する。
【００３５】
これにより、感光体ドラム上の所定の領域にのみレーザビーム６ｂが走査されるので、感光体ドラム上に所定の電子画像が形成される。この後、感光体ドラム上の電荷が消滅した部分にトナーが付着される。そして、感光体ドラム上に付着したトナーを用紙に転写することによって、用紙に画像が形成される。
【００３６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３７】
たとえば、上記実施形態では、本発明をレーザプリンタのレーザスキャニングユニットに適用する例を示したが、本発明はこれに限らず、レーザプリンタ以外の画像形成装置のレーザスキャニングユニットにも適用可能である。
【００３８】
また、上記実施形態では、半導体レーザ駆動回路７およびモータ駆動回路８の２つが実装された回路基板９を、枠体２の外部に設けるようにしたが、本発明はこれに限らず、枠体２のモータ４が取り付けられた凸形状部２ａから所定の距離を隔てた枠体２の内部に設けたとしても、上記実施形態と同様の効果を得ることができる。
【００３９】
また、上記実施形態では、放熱機能を有しない紙フェノール製の回路基板９を用いるようにしたが、本発明はこれに限らず、放熱機能を有しない他の材料からなる回路基板を用いてもよい。
【００４０】
また、上記実施形態では、枠体２の内部に取り付けられたモータ４および半導体レーザ６を、それぞれ、フレキシブルケーブル１０および１１により、枠体２の外部に設けられた回路基板９に接続するようにしたが、本発明はこれに限らず、他の配線手段を用いて、モータおよび半導体レーザと回路基板とを接続するようにしてもよい。
【００４１】
【発明の効果】
以上のように、本発明によれば、回路基板の種類を削減するとともに、放熱機能を有しない回路基板を用いることによって、回路基板の製造コストの低減を図ることが可能なレーザプリンタ（画像形成装置）を提供することができる。
【図面の簡単な説明】
【図１】本発明の一実施形態によるレーザプリンタを示した斜視図である。
【図２】図１に示した一実施形態によるレーザプリンタのレーザスキャニングユニットの内部構造を示した平面図である。
【図３】図２に示した一実施形態によるレーザスキャニングユニットの５０−５０線に沿った断面図である。
【図４】図２に示した一実施形態によるレーザスキャニングユニットの回路基板の平面図である。
【図５】従来のレーザプリンタを示した斜視図である。
【図６】図５に示した従来のレーザプリンタのレーザスキャニングユニットの内部構造を示した平面図である。
【符号の説明】
１　レーザスキャニングユニット
２　枠体
３　モータ取り付け部材
４　モータ
５　ポリゴンミラー
６　半導体レーザ
７　半導体レーザ駆動回路
８　モータ駆動回路
９　回路基板（第２回路基板）
１０　フレキシブルケーブル（第１フレキシブルケーブル）
１１　フレキシブルケーブル（第２フレキシブルケーブル）
１４　回路基板（第１回路基板）
１５　フォトダイオード
【図１】
2004138936.tif 000003
【図２】
2004138936.tif 000004
【図３】
2004138936.tif 000005
【図４】
2004138936.tif 000006
【図５】
2004138936.tif 000007
【図６】
2004138936.tif 000008